(57)【要約】【課題】新規な養魚飼料用補助材を養魚飼料に混和又は添加して養魚の生理状態を改善するとともに斃死率を低減する。【解決手段】養魚飼料用補助材がアクリル系サイズ剤を付着したポリエステル繊維に由来するものであって、アクリル系サイズ剤が平滑油剤とアクリル系合成糊剤の２液を混合し、かつ、植物性天然活性液汁を添加した調製溶液であり、該調製溶液中に１条のポリエステル繊維を連続的にくぐらせてサイズ剤を付着し、かつ、シースを通過させて帯電性を付与した後、粉砕又は切り刻むことにより極短繊維化してなるものである。【選択図】　　　なし【特許請求の範囲】
【請求項１】
アクリル系サイズ剤を付着したポリエステル繊維に由来する養魚飼料用補助材であって、
アクリル系サイズ剤が平滑油剤とアクリル系合成糊剤の２液を混合し、かつ、植物性天然活性液汁を添加した調製溶液であり、
前記調製溶液中に１条のポリエステル繊維を連続的にくぐらせて前記サイズ剤を付着し、かつ、シースを通過させて帯電性を付与した後、粉砕又は切り刻むことにより極短繊維化してなることを特徴とする養魚飼料用補助材。
【請求項２】
アクリル系サイズ剤を付着したポリエステル繊維に由来する養魚飼料用補助材であって、
アクリル系サイズ剤を平滑油剤とアクリル系合成糊剤の２液を混合し、かつ、植物性天然活性液汁を添加した調製溶液として貯留し、
前記調製溶液中に１条のポリエステル繊維を連続的にくぐらせて前記サイズ剤を付着し、かつ、シースを通過させて帯電性を付与した後、粉砕又は切り刻むことにより得られる極短繊維化した材料であって、以下の性質を有することを特徴とする養魚飼料用補助材。
（１）前記材料を数十倍希釈した原液が、酸分子（ＣＯ２　）有機酸であり、ラジカル（ＯＨＭ）ＣＯＨ酸性で酸化体（Ｍ３＋）を発生する。
（２）前記原液をさらに概略１０００倍稀釈した濾液が、材令７日以後に、液温２１〜３０℃範囲での水素イオン濃度（ｐＨ）が７．２〜８．５を示す。
（３）養魚用飼料に混和すると、電離して陰イオン活性を示す。
（４）養魚用飼料に混和することにより抗酸化性を付与する。
（５）養魚の生理状態を改善する。
【請求項３】
平滑油剤が高融点天然ワックスと高級炭化水素とノニオン界面活性剤を主成分とする弱アニオン系エマルジョンであり、アクリル系合成糊剤がアクリル酸エステル共重合物をアンモニアで中和したものであり、調製溶液が平滑油剤１００重量部に対してアクリル系合成糊剤５〜１２重量部の量比を有するものである請求項１又は２記載の養魚飼料用補助材。
【請求項４】
養魚飼料に添加して造粒するための増粘材又は混和材として使用され、請求項１乃至３のいずれか１項記載の養魚飼料用補助材と炭酸カルシウムとの混合物であって、該混合物１００重量部に対して前記養魚飼料用補助材の割合を３０重量部以下としたものを、養魚飼料の投入量の少なくとも１００ｋｇ単位に相応する添加量を水溶紙からなる袋体に分封してなるものである養魚飼料用補助材。
【請求項５】
養魚飼料に噴霧して使用される液体であって、請求項１乃至３のいずれか１項記載の養魚飼料用補助材を３重量％以下の割合で含有する水溶液を原液として用い、該原液を概略１０００倍希釈した濾液からなることを特徴とする養魚飼料用補助材。
【発明の詳細な説明】
【０００１】
【発明の属する技術分野】
本発明は、養魚飼料に混和又は添加して使用され、アクリル系サイズ剤を付着したポリエステル繊維（極短繊維又は粉体）、及び該繊維に由来する水溶性成分（希釈液濾液又はミスト）を主体とする養魚飼料用補助材に関する。
【０００２】
【従来の技術】
従来より、アクリル系サイズ剤（経糸糊や仕上糊）を付着した既成のポリエステル繊維を粉砕又は切り刻むことにより極短繊維化したものが、セメント分散剤として使用すると亀裂防止効果があり、建設業界で一部使用されてきたという事実がある。
【０００３】
当初は、亀裂防止効果は古くから左官業でおこなわれてきたように繊維が担っていると解されてきた。そのうちに、製織に使用されるアクリル系サイズ剤の化学的成分に起因するとの認識が生まれてきたが、そのメカニズム（挙動）は詳しく把握できていなかった。
【０００４】
かつて、本発明者は前記セメント分散剤が混入した水（以下、水溶液。）を取り扱うなかで、土木作業に使用した長靴等の汚れがよく落ちること（洗浄効果）、及び散水した箇所の植物の生長が目に見えて促進すること（発育促進効果）を経験してきた。
【０００５】
そこで、目的意識をもって前記セメント分散剤と称してきた繊維くずを、用途別に特定的に使用可能とすべく材料開発に取り組んできた。セメント分散剤としての材料開発は先に提案済である。（例えば、特許文献１参照。）
【０００６】
【特許文献１】
特願２００１−９８４０６（全文）
【０００７】
その後、利用先に応じてフィールド試験をおこなうとともに、大学及び各種の機関へ前記水溶液の化学的成分及び作用効果（毒性試験を含む）の分析依頼を独自におこなってきた。現段階では、アクリル系サイズ剤を付着したポリエステル繊維に由来する成分を含有する水溶液が酸分子有機酸でありラジカル酸性で酸化体（Ｍ３＋）を発生すること、対象材（本発明に関し養魚飼料）に混和させると陰イオン活性を示すことが実験的事実として確認できている。
【０００８】
上述した経緯のとおり、試験・研究を重ね利用実績も蓄積してきており、今日、養魚飼料用補助材として特定的に使用可能な材料開発（商品化）を完了するに至った。この間、数年を要している。
【０００９】
なお、アクリル系サイズ剤を付着したポリエステル繊維に由来する「セメント改質剤」なる先願が知られている。（例えば、特許文献２参照。）
【００１０】
【特許文献２】
特開平１０−２５９０４４号（全文）
【００１１】
そこで、先願の技術内容を吟味したところ、当該先願の発明は（好意的にみれば一部において）未完成であることが判明した。
【００１２】
要約すると、「サイズ剤を付着した繊維からなることを特徴とするセメント改質剤」の構成は、「該サイズ剤はアクリル系」で「該繊維はポリエステル繊維」である。しかしながら、組成又は製造方法により特定される物質として、その性質を具体的に示しておらず、発明の構成が不明であるというべきである。
【００１３】
すなわち、既成のポリエステル繊維のサイズ剤の成分を分析的に記載して「サイズ剤を付着した繊維からなるセメント分散剤」とした用途発明の体裁をとって記載したに過ぎないといえる。
【００１４】
【発明が解決しようとする課題】
先願の発明は、公知文献として一応考慮されるとしても、未完成発明であるから、本発明に関し出願前公知としての技術水準を担保していない。特に言及しないが、実施例記載の内容（基礎データ）の信憑性に疑いがある。
【００１５】
本発明は、もとよりアクリル系サイズ剤を付着したポリエステル繊維に由来し、かつ、製造方法により特定可能な材料であって、その性質及び作用効果から正しく新規な養魚飼料用補助材を提供するものである。特に、養魚飼料に混和又は添加して施用され養魚の生理状態を改善するとともに斃死率を低減する。
【００１６】
【課題を解決するための手段】
課題を解決するために本発明は、アクリル系サイズ剤を付着したポリエステル繊維に由来する養魚飼料用補助材であって、
アクリル系サイズ剤が平滑油剤とアクリル系合成糊剤の２液を混合し、かつ、植物性天然活性液汁を添加した調製溶液であり、前記調製溶液中に１条のポリエステル繊維を連続的にくぐらせて前記サイズ剤を付着し、かつ、シースを通過させて帯電性を付与した後、粉砕又は切り刻むことにより極短繊維化してなることを特徴とするものである。
【００１７】
【発明の実施の形態】
本発明の実施の形態は、上記構成において、アクリル系サイズ剤の組成は、平滑油剤が高融点天然ワックスと高級炭化水素とノニオン界面活性剤を主成分とする弱アニオン系エマルジョンであり、アクリル系合成糊剤がアクリル酸エステル共重合物をアンモニアで中和したものであり、調製溶液が平滑油剤１００重量部に対してアクリル系合成糊剤５〜１２重量部の量比を有するものである。植物性天然活性液汁は、好適にはアロエエキスである。
【００１８】
そして、サイズ剤（調製溶液中）に１条のポリエステル繊維を連続的にくぐらせてサイズ剤を付着し、かつ、シースを通過させて帯電性を付与した後、粉砕又は切り刻むことにより極短繊維化した材料を得る。
【００１９】
その特徴的性質は、以下に代表されるものである。
【００２０】
（１）前記材料を数十倍希釈した原液が、酸分子（ＣＯ２　）有機酸であり、ラジカル（ＯＨＭ）ＣＯＨ酸性で酸化体（Ｍ３＋）を発生する。
（２）前記原液をさらに概略１０００倍稀釈した濾液が、材令７日以後に、液温２１〜３０℃範囲での水素イオン濃度（ｐＨ）が７．２〜８．５を示す。
（３）養魚用飼料に混和すると、電離して陰イオン活性を示す。
（４）養魚用飼料に混和することにより抗酸化性を付与する。
（５）養魚の生理状態を改善する。
【００２１】
実用的な養魚飼料用補助材の物質状態は、極短繊維又は粉体であって、養魚飼料を造粒するために添加する増粘材又は混和材として使用されるものであり、上記構成の養魚飼料用補助材と炭酸カルシウムとの混合物であって、該混合物１００重量部に対して養魚飼料用補助材の割合を３０重量部以下とするものである。そして、この混合物を公知の養魚飼料に混ぜ込んでペレットをつくる。なお、養魚飼料の投入量の少なくとも１００ｋｇ単位に相応する添加量を水溶紙からなる袋体に分封したものを使用に供する。
【００２２】
また、他の実用的な物質状態は、液体、詳しくはミストであって、上記構成の養魚飼料用補助材を３重量％以下の割合で含有する水溶液を原液とし、該原液を概略１０００倍希釈した濾液からなり、これを公知の養魚飼料に噴霧するものである。
【００２３】
【実施例】
本発明の一実施例を添付図面を参照して以下説明する。
【００２４】
２液からなる経糸糊付溶剤〔詳しくは、アクリル系サイズ剤であって、平滑油竿である弱アニオン系エマルジョン（好適商品：ソルビルワックス）とアクリル系合成糊剤（好適商品：ソルガム）とを１００：９で混合し、植物天然活性液汁（好ましくはアロエエキス）を添加したもの。〕を塗布し、かつ、帯電性を付与したポリエステル繊維を極短繊維状に粉砕して又は切り刻んで本発明の養魚飼料用補助材を製造する。
【００２５】
これを養魚飼料を造粒するために添加する増粘材又は混和材として使用する場合には、炭酸カルシウムとの混合物（粉体）を調製する。この混合物の成分表を表１に示す。
【００２６】
【表１】
2004135615.tif 000002
【００２７】
表１に示すとおり、該混合物１００重量部（表欄には量比で示す）に対する養魚飼料用補助材の割合は３０重量部（同上）以下とされる。
【００２８】
したがって、表欄中の主成分の炭酸カルシウム（ａ）以外の成分（ｂ〜ｈ）が養魚飼料用補助材に由来する化学成分である。なお、炭酸カルシウムの使用は主に増量のためである。そして、この混合物（粉体）を公知の養魚飼料に混ぜ込んでペレット〔以下、餌。〕をつくると、軟質でありながら水中投入した餌の溶化崩壊（バラケ）が少なくなり、水質汚濁を抑制でき、残餌が減少する（殆ど完食する）。しかも、餌の鮮度を保存する効果がある。
【００２９】
以下に、試験養殖の実績を要約しておく。
【００３０】
長崎県南串山漁協に所属する複数の養殖ハマチ生産者の試験区で１年半にわたり本発明の補助材を混和した餌を施用した。また、三重県度会郡南島町の養殖ヒラメ生産者の試験区で同様の方法で施用した。いずれの場合においても、斃死率が２割以上低減した。また、毎回ほぼ完食するので残餌が少なく、冬場の活食も落ちなかった。
【００３１】
また、他の実用的な物質状態は、液体、詳しくはミストであって、養魚飼料用補助材を３重量％以下の割合で含有する水溶液を原液とし、該原液を概略１０００倍希釈した濾液からなり、これを公知の養魚飼料に噴霧するものである。添加の目安は、養魚飼料１ｋｇに対して５ｃｃ程度である。１０００倍希釈液については急性毒性試験により無害を確認済である。〔財団法人日本食品分析センター：急性毒性試験報告書第３９９０４０２３９−００１号〕
【００３２】
【発明の効果】
本発明は以上の構成よりなるものであり、これによれば活食がよく、斃死率が格段に低減する。また、完食することにより残餌が少ないので飼料（餌）を無駄にすることがなく、良好な水質環境が維持ができる。全体として、養魚の生理状態の改善が図れる。しかも、飼料（餌）代を含む養魚の生産コストを大幅に改善できる。